(57)【要約】【課題】  待ち受け状態でも機能一覧表示の状態でも、同一の背景画像を表示させることにより、画面デザインの切換えによる不快感をなくす。【解決手段】  受信待機状態において、ディスプレイに蝶のデザインの壁紙を表示していると（Ｓ１ステップ）、Ｓ２ステップにおいて、ユーザがメニュー表示の操作を行うと、ディスプレイにはメニュー画面が表示される（Ｓ２、Ｓ９、Ｓ１１ステップ）。その際、メニュー画面上の文字表示領域と、蝶の絵が表示される領域とがかぶさらないように表示される。【選択図】  図１２
2009100387.tif 000002
【特許請求の範囲】
【請求項１】
待ち受け状態で予め定められた壁紙を表示可能な表示手段を有する通信装置であり、
更に、所定時間の計時を行う計時手段を有し、前記計時手段が所定時間の計時を完了し尚且つ所定の操作があると、前記表示手段に表示する壁紙を変更することを特徴とする通信装置。
【請求項２】
待ち受け状態で予め定められた壁紙を表示可能な表示手段を有する通信装置であり、
更に、所定時間の計時を行う計時手段と、入力手段を有し、
前記計時手段が所定時間の計時を完了し尚且つ前記入力手段から入力操作があると、前記表示手段に表示する壁紙を変更することを特徴とする通信装置。
【請求項３】
請求項２に記載の通信装置であり、
前記計時手段が所定時間の計時を完了した後に前記入力手段から入力操作がなければ、前記表示手段に表示されている壁紙を継続して表示させることを特徴とする通信装置。
【請求項４】
待ち受け状態で予め定められた壁紙を表示可能な表示手段を有する通信装置であり、
更に、所定時間の計時を行う計時手段と、筐体の開閉を検出する開閉検出手段と、を有し、
前記計時手段が所定時間の計時を完了し尚且つ前記開閉検出手段が筐体の開閉を検出すると、前記表示手段に表示する壁紙を変更することを特徴とする通信装置。
【請求項５】
請求項４に記載の通信装置であり、
前記計時手段が所定時間の計時を完了した後に前記開閉検出手段が筐体の開閉を検出しなければ、前記表示手段に表示されている壁紙を継続して表示させることを特徴とする通信装置。
【発明の詳細な説明】
【技術分野】
【０００１】
本発明は、携帯電話装置等の通信装置に関する。
【背景技術】
【０００２】
近年の携帯電話装置等の通信装置には、待受状態で表示部に自分のお気に入りの画像を表示させる所謂壁紙機能が搭載されている。また、この壁紙機能に関する特許出願も数多くなされており、例えば特許文献１や特許文献２には、時刻に応じて壁紙を切り替わる技術が記載されている。
【特許文献１】特開平７−３２５６８９号公報
【特許文献２】特開平１０−１３８８３号公報
【発明の開示】
【発明が解決しようとする課題】
【０００３】
しかしながら、従来の携帯電話装置では、待ちうけ状態（基地局からの着信を待ち受けている状態や、携帯電話装置が発呼処理やメール作成処理等のイベントを実行していない状態）での背景画像はユーザの操作により決定することができるが、機能の一覧（メニュー）を表示している際の背景画像はユーザの操作により決定できないか、或いは決定できるとしても、待ちうけ時の背景画像とは異なるデザインの画像しか選択できなかった。
【０００４】
このように、待ちうけ時の背景画像と機能一覧の背景画像とが異なっている為に、ユーザにとっては、操作の度に全く異なるデザインの背景が切換え表示され見づらいといった問題がある。
【０００５】
又、引用文献１や引用文献２に記載されている技術では、所定の時刻になると自動的に背景画像が変わる為、突然背景のデザインが変わり、ユーザによっては見づらいといった問題がある。
【課題を解決するための手段】
【０００６】
本発明はこのような課題を解決する為のものであり、請求項１に記載の通信装置は、待ち受け状態で予め定められた壁紙を表示可能な表示手段を有する通信装置であり、更に、所定時間の計時を行う計時手段を有し、前記計時手段が所定時間の計時を完了し尚且つ所定の操作があると、前記表示手段に表示する壁紙を変更することを特徴とする。
【０００７】
請求項２に記載の通信装置は、待ち受け状態で予め定められた壁紙を表示可能な表示手段を有する通信装置であり、更に、所定時間の計時を行う計時手段と、入力手段を有し、前記計時手段が所定時間の計時を完了し尚且つ前記入力手段から入力操作があると、前記表示手段に表示する壁紙を変更することを特徴とする。
【０００８】
請求項３に記載の通信装置は、請求項２に記載の通信装置であり、前記計時手段が所定時間の計時を完了した後に前記入力手段から入力操作がなければ、前記表示手段に表示されている壁紙を継続して表示させることを特徴とする。
【０００９】
請求項４に記載の通信装置は、待ち受け状態で予め定められた壁紙を表示可能な表示手段を有する通信装置であり、更に、所定時間の計時を行う計時手段と、筐体の開閉を検出する開閉検出手段と、を有し、前記計時手段が所定時間の計時を完了し尚且つ前記開閉検出手段が筐体の開閉を検出すると、前記表示手段に表示する壁紙を変更することを特徴とする。
【００１０】
請求項５に記載の通信装置は、請求項４に記載の通信装置であり、前記計時手段が所定時間の計時を完了した後に前記開閉検出手段が筐体の開閉を検出しなければ、前記表示手段に表示されている壁紙を継続して表示させることを特徴とする。
【発明の効果】
【００１１】
本発明の通信装置は、計時手段が所定時間を計時すれば直ちに壁紙が切換え表示されることがないために、所定時間が経過すると突然壁紙のデザインが変化し、ユーザの気分を害するといった課題を解決することが可能である。
【００１２】
又、本発明の通信装置は、計時手段が所定時間を経過し尚且つ何らかの操作があると壁紙が切換え表示されるため、所定時間が経過すると突然壁紙のデザインが変化し、ユーザの気分を害するといった課題を解決することが可能である。
【００１３】
又、本発明の通信装置は、計時手段が所定時間を経過し尚且つキー操作があると壁紙が切換え表示されるため、所定時間が経過すると突然壁紙のデザインが変化し、ユーザの気分を害するといった課題を解決することが可能である。
【００１４】
更に、本発明の通信装置は、計時手段が所定時間を経過し尚且つ筐体の開閉操作があると壁紙が切換え表示されるため、所定時間が経過すると突然壁紙のデザインが変化し、ユーザの気分を害するといった課題を解決することが可能である。
【実施例】
【００１５】
図１は、本発明の一実施例にかかる携帯電話機の概略構成を示すブロック図である。図１に示すように、携帯電話機は、アンテナ１４と接続された通信部１３を備えている。この通信部１３は、後述のベースバンド部１０と接続されており、ベースバンド部１０からの信号を、アンテナ１４を介して基地局へ発信し、あるいはアンテナ１４を介して基地局からの電波を受信する。
【００１６】
ベースバンド部１０は、ＣＤＭＡ処理回路１１と、音声コーデック１２と、を有している。ここで、ＣＤＭＡ処理回路１１は、符号分割多元接続、スクランブル、誤り制御、タイミング検出を行う。また、音声コーデック１２は、音声を圧縮（符号化）、伸張（復号化）したり、アナログとデジタルの変換を行ったり、内部の増幅回路（図示省略）により受話音量やマイクロホンの感度を変更する。
【００１７】
また、ベースバンド部１０には、切替回路２０が接続されている。この切替回路２０には、増幅回路２１を介して第１スピーカ２２が接続されている。この第１スピーカ２２は、増幅回路２１で増幅されたベースバンド部１０の電気信号を音声に変換する。この第１スピーカ２２は、ユーザの耳にあてて通話に使用される。
【００１８】
また、切替回路２０には、増幅回路２３を介してマイクロホン２４が接続されている。このマイクロホン２４は、通話に使用され、音声を電気信号に変換する。マイクロホン２４により入力された電気信号は、増幅回路２３で増幅されてベースバンド部１０に出力される。
【００１９】
また、切替回路２０には、増幅回路２５を介して第２スピーカ２６が接続されている。この第２スピーカ２６は、増幅回路２５で増幅されたベースバンド部１０の電気信号を音声に変換する。この第２スピーカ２６は、受話音を周囲の人にも聞かせるための拡声用のスピーカである。また、第２スピーカ２６は、着信報知の鳴動も行う。なお、これらの３つの増幅回路２１，２３，２５は、ゲインを固定しており、第１スピーカ２２及び第２スピーカ２６の音量やマイクロホン２４の感度を変更することはできないようになっている。
【００２０】
この切替回路２０は、ベースバンド部１０との接続を、第１スピーカ２２用の増幅回路２１とマイクロホン２４用の増幅回路２３側にするか、あるいは拡声用の第２スピーカ２６用の増幅回路２５とマイクロホン２４用の増幅回路２３側にするかを切り替える。
【００２１】
また、通信部１３、ベースバンド部１０、切替回路２０は、それぞれ制御回路３０に接続されている。制御回路３０には、ＲＯＭ３１，ＲＡＭ３２が接続されており、ＲＯＭ３１には、制御回路３０を動作させるためのシステムプログラムが格納され、ＲＡＭ３２は、制御回路３０の動作に必要な各種情報が記憶される。
例えば、ＲＡＭ３２には、図２〜図６や図７〜図１１に示すような画像データが格納されている。図２〜図６の画像は同一の種類の画像データであり、図２〜図４の画像データは、携帯電話装置が待ち受け状態の際に表示される画像データであり、図５の画像データは、ユーザの操作に基づいて機能一覧を表示させる際の画像データであり、図６の画像データは、ユーザの操作に基づいて例えば図５の基本設定の項目が選択された後に表示させる画像データである。図２〜図４の画像データは、携帯電話装置が待ち受け状態になると２匹の蝶（キャラクター）が画面左右側から出現し（図２）、画面右側にある花に向かって飛び、最終的には、２匹の蝶が花の近くに留まるという画像データ（動画）である。図５の画像データは、図４の画像データに機能一覧の表示を合成させた画像データであるが、機能一覧（データフォルダ、基本設定、テレビ等）の文字が表示されている領域に蝶や花といった画像が重ならないようにしている。更に、図６の画像データは、図４の画像データに選択された機能の一覧の表示を合成させた画像データであるが、機能一覧（プロフィール、時間／料金／申込、等）の文字が表示されている領域に蝶や花といった画像が重ならないようにしている。
【００２２】
このように、待ち受け状態や機能一覧を表示させる状態において、常に背景に蝶や花といったユーザのお気に入りの画像を表示させ尚且つこの蝶や花の画像に機能一覧の文字が重ならないようにしている。この為、ユーザの好みの画像を常に背景に表示させることができ、尚且つ文字を見やすくすることができる。
【００２３】
尚、本実施例装置では、表示される蝶や花といったものをキャラクターと称している。他に人物、車、建物、食べ物、動物、等もキャラクターとして称しているが、文字や数字等はキャラクターとして定義していない。
次に、図７〜図１１の画像についてである。図７〜図１１の画像は同一の種類の画像データであり、図７〜図９の画像データは、携帯電話装置が待ち受け状態の際に表示される画像データであり、図１０の画像データは、ユーザの操作に基づいて機能一覧を表示させる際の画像データであり、図１１の画像データは、ユーザの操作に基づいて例えば図１０の基本設定の項目が選択された後に表示させる画像データである。図７〜図９の画像データは、携帯電話装置が待ち受け状態になると一羽の鳥（キャラクター）が画面左側から出現し（図７）、画面右側にある植物に向かって飛び、最終的には、一羽の鳥が植物の近くに留まるという画像データ（動画）である。図１０の画像データは、図９の画像データに機能一覧の表示を合成させた画像データであるが、機能一覧（データフォルダ、基本設定、テレビ等）の文字が表示されている領域に蝶や花といった画像が重ならないようにしている。更に、図１１の画像データは、図１０の画像データに選択された機能の一覧の表示を合成させた画像データであるが、機能一覧（プロフィール、時間／料金／申込、等）の文字が表示されている領域に蝶や花といった画像が重ならないようにしている。
【００２４】
このように、待ち受け状態や機能一覧を表示させる状態において、常に背景に鳥や植物といったユーザのお気に入りの画像を表示させ尚且つこの鳥や植物の画像に機能一覧の文字が重ならないようにしている。この為、ユーザの好みの画像を常に背景に表示させることができ、尚且つ文字を見やすくすることができる。
【００２５】
又、本実施例装置では、制御回路３０は、所定の時間（例えば１分）を計時する機能を有している。例えば、図２〜図６のいずれかの画像を表示している状態で、制御回路３０が所定の時間を計時完了し尚且つ筐体の開閉動作やキー操作等があると、ディスプレイ６０には、図７〜図１１のいずれかの画像の表示に切り替わる。
制御回路３０には、入力部４０が接続されている。入力部４０は、電話番号等の入力を行うテンキー４１と、通話の開始を操作する通話キー４２と、通話の終了を操作する切キー４３と、ＯＫキー４４と、クリアキー４５とを有している。又、本実施例においては、ユーザがこの入力部４０を操作することにより、着信履歴の表示や着信拒否相手先の設定等を行うことが可能である。
【００２６】
また、制御回路３０には、例えば液晶パネルからなるディスプレイ６０と、そのバックライトとして、例えばＬＥＤ素子５１からなる照明部６１が接続されている。このディスプレイ６０により、着信履歴の一覧等が表示される。開閉検出部７０は、筐体の開閉を検出する。
【００２７】
次に本実施例装置の動作について以下に説明する。図７〜図８は本実施例装置の動作を示すフロー図である。
【００２８】
図７において、まずユーザが携帯電話装置の筐体を開くと、制御回路３０は、Ｓ１ステップで所定時間（例えば１分）の計時を開始し、Ｓ２ステップへ処理を進める。尚、ユーザが筐体を開くと、受信待機状態で表示される画像として、図２〜図４の画像が順にディスプレイ６０に表示される。図４の画像が表示される状態になると、着信やユーザのキー操作や筐体の開閉等の操作がない限り、図４の画像の表示が維持される。
【００２９】
Ｓ２ステップでは、制御回路３０は、入力部４０からメニュー表示の操作があると判定すると、Ｓ８ステップへ処理を進め、そうでなければ、Ｓ３ステップへ処理を進める。
【００３０】
Ｓ３ステップでは、制御回路３０は、開閉検出部７０から筐体が閉じたことを示す信号を検出すると、筐体が閉じられたと判定してＳ４ステップへ処理を進め、そうでなければ、Ｓ２ステップへ処理を戻す。
【００３１】
Ｓ４ステップでは、制御回路３０は、ディスプレイ６０の表示をオフし、Ｓ５ステップへ処理を進める。
【００３２】
Ｓ５ステップでは、制御回路３０は、開閉検出部７０から筐体が開いたことを示す信号を検出すると、筐体が開いたと判定してＳ６ステップへ処理を進める。
【００３３】
Ｓ６ステップでは、制御回路３０は、前記Ｓ１ステップで開始した所定時間の計時が終了したと判定すると、Ｓ７ステップへ処理を進め、そうでなければ、Ｓ１ステップへ処理を戻す。
【００３４】
Ｓ７ステップでは、制御回路３０は、ディスプレイ６０に図７〜図９に示す画像を順に表示し、タイマをクリアしＳ１ステップへ処理を戻す。
【００３５】
Ｓ８ステップでは、制御回路３０は、前記Ｓ１ステップで計時開始した所定時間の計時を終了したと判定すると、Ｓ９ステップへ処理を進め、そうでなければＳ１１ステップへ処理を進める。
【００３６】
Ｓ９ステップでは、制御回路３０は、Ｓ２ステップでディスプレイ６０に表示されている画像が図２〜図４のいずれかの画像であれば、図１０のメニュー画面をディスプレイ６０に表示させ、一方、Ｓ２ステップでディスプレイ６０に表示されている画像が図７〜図９の画像であれば、図５のメニュー画面をディスプレイ６０に表示させ、Ｓ１０ステップへ処理を進める。
即ち、Ｓ２ステップでメニュー表示の操作がなされた時に所定時間の計時がなされていたら、メニュー表示の操作がなされた時の壁紙の画像と異なる画像をＳ９ステップで表示させる。即ち、Ｓ２ステップで図２〜図４に示す蝶の壁紙が表示されていたら、Ｓ１０ステップで図１０の鳥のメニュー画面を表示させ、一方、Ｓ２ステップで図７〜図９に示す鳥の壁紙が表示されていたら、Ｓ１０ステップで図５の蝶のメニュー画面を表示させる。
【００３７】
Ｓ１０ステップでは、制御回路３０は、タイマをクリアした後に所定時間の計時を再度スタートし、図１３のＳ１２ステップへ処理を進める。
【００３８】
Ｓ１１ステップでは、制御回路３０は、Ｓ２ステップでディスプレイ６０に表示されている画像が図２〜図４のいずれかの画像であれば、図５のメニュー画面をディスプレイ６０に表示させ、一方、Ｓ２ステップでディスプレイ６０に表示されている画像が図７〜図９の画像であれば、図１０のメニュー画面をディスプレイ６０に表示させ、図１３のＳ１２ステップへ処理を進める。
即ち、Ｓ２ステップでメニュー表示の操作がなされた時に所定時間の計時がなされていなければ、メニュー表示の操作がなされた時の壁紙の画像と同じ種類の画像をＳ１１ステップで表示させる。即ち、Ｓ２ステップで図２〜図４に示す蝶の壁紙が表示されていたら、Ｓ１１ステップで図５の蝶のメニュー画面を表示させ、一方、Ｓ２ステップで図７〜図９に示す鳥の壁紙が表示されていたら、Ｓ１１ステップで図１０の鳥のメニュー画面を表示させる。
【００３９】
図１３のＳ１２ステップでは、制御回路３０は、入力部４０から表示されている一覧（データフォルダ、基本設定、テレビ、マルチメディア、等）からいずれかの項目を選択する操作があると判定すると、Ｓ１６ステップへ処理を進め、そうでなければ、Ｓ１３ステップへ処理を進める。
【００４０】
Ｓ１３ステップでは、制御回路３０は、入力部４０からクリアキー４５の入力操作があると判定すると、Ｓ１４ステップへ処理を進め、そうでなければＳ１２ステップへ処理を戻す。
【００４１】
Ｓ１４ステップでは、制御回路３０は、所定時間（例えば１分）の計時が終了したと判定すると、Ｓ１５ステップへ処理を進め、そうでなければ、図１２のＳ１ステップへ処理を戻す。
【００４２】
Ｓ１５ステップでは、制御回路３０は、Ｓ１１ステップ或いはＳ９ステップで表示されたメニュー画面が蝶のメニュー画面（図５の画像）であれば、Ｓ１５ステップにおいて、ディスプレイ６０に鳥の壁紙（図７〜図９の画像）を表示し、一方、Ｓ１１ステップ或いはＳ９ステップで表示されたメニュー画面が鳥のメニュー画面（図１０の画像）であれば、Ｓ１５ステップにおいて、ディスプレイ６０に蝶の壁紙（図２〜図４の画像）を表示する。
【００４３】
即ち、Ｓ１３〜Ｓ１５ステップでは、メニュー一覧を表示している状態でクリアキーが押下されると、表示画面は受信待機状態における表示画面に切り替わるのであるが、クリアキーが押下された際に制御回路３０が所定時間の計時を完了する（或いは既に完了した）と、メニュー一覧を表示していた際と異なるデザインの受信待機状態における表示画面に切り替わる。
【００４４】
Ｓ１６ステップでは、制御回路３０は、所定時間（例えば１分）の計時を行った或いは既に計時を終了したと判定すると、Ｓ１７ステップへ処理を進め、そうでなければＳ１９ステップへ処理を進める。
【００４５】
Ｓ１７ステップでは、制御回路３０は、前記Ｓ１２ステップで選択された項目を表示するが、Ｓ１２ステップで表示されている画像が蝶のメニュー画像（図５の画像）であれば、Ｓ１７ステップでは、鳥の選択された項目の画像（図１１の画像）が選択される。即ち、Ｓ１２ステップで表示されている画像が鳥の画像であれば、Ｓ１７ステップで表示する画像は蝶の画像であり、一方、Ｓ１２ステップで表示されている画像が蝶の画像であれば、Ｓ１７ステップで表示する画像は鳥の画像である。
【００４６】
Ｓ１８ステップでは、制御回路３０は、タイマをクリアし続いて所定時間の計時を再開し、Ｓ２０ステップへしょりを進める。
【００４７】
Ｓ１９ステップでは、制御回路３０は、前記Ｓ１２ステップで選択された項目を表示するが、Ｓ１２ステップで表示されている画像が蝶のメニュー画像（図５の画像）であれば、Ｓ１７ステップでは、蝶の選択された項目の画像（図６の画像）が選択される。即ち、Ｓ１２ステップで表示されている画像が蝶の画像であれば、Ｓ１７ステップで表示する画像は蝶の画像であり、一方、Ｓ１２ステップで表示されている画像が鳥の画像であれば、Ｓ１７ステップで表示する画像は鳥の画像である。
【００４８】
Ｓ２０ステップでは、制御回路３０は、入力部４０からクリアキー４５の入力操作があると判定すると、Ｓ２１ステップへ処理を進める。
【００４９】
Ｓ２１ステップでは、制御回路３０は、所定時間の計時が完了したか既に完了していると判定すると、Ｓ２２ステップへ処理を進め、そうでなければ、図１２のＳ２ステップへ処理を進める。
【００５０】
Ｓ２２ステップでは、制御回路３０は、Ｓ１９ステップ或いはＳ１７ステップで表示された画面が蝶の画面（図６の画像）であれば、Ｓ２２ステップにおいて、ディスプレイ６０に鳥の壁紙（図７〜図９の画像）を表示し、一方、Ｓ１９ステップ或いはＳ１７ステップで表示された画面が鳥の画面（図１１の画像）であれば、Ｓ２２ステップにおいて、ディスプレイ６０に蝶の壁紙（図２〜図４の画像）を表示する。その後、制御回路３０は、図１２のＳ１ステップへ処理を戻す。
【００５１】
このように、本実施例装置では、受信待機状態（待ちうけ状態）で蝶の画面を表示していると、メニュー表示する際や、メニュー表示において項目を選択した画面を表示する際にも、蝶の画面を表示する。この為、受信待機状態においてもメニュー表示の状態において同じ或いは類似するデザインの画面を表示することができる為、ユーザが何らかの操作を行う度に画面のデザインが頻繁に切り替わり、ユーザの気分を害することを回避することが可能である。
【００５２】
又、所定時間毎に蝶のデザインの画面と鳥のデザインの画面が切り替わるように構成し、更に、所定時間が経過すると自動的に画面が切り替わるのではなく、所定時間が経過し更にユーザが何らかの操作を行った際に画面が切り替わる構成としたので、所定時間が経過する度に突然画面が切り代わり、ユーザの気分を害するといった事態を回避することが可能である。
【００５３】
尚、本実施例装置では、蝶と鳥の２種類の画像を切換え表示する構成としたが、表示する画像の種類は２種類ではなく、それ以上の種類としても良い。
【００５４】
又、本実施例では携帯電話装置について実施したが、カーナビゲーションやＰＤＣ（Ｐｅｒｓｏｎａｌ  Ｄｉｇｉｔａｌ  Ａｓｓｉｓｔａｎｔ）等の通信装置にも適用可能である。
【図面の簡単な説明】
【００５５】
【図１】本発明の一実施例にかかる携帯電話装置のブロック図である。
【図２】本実施例装置の表示形態を示す図である。
【図３】本実施例装置の表示形態を示す図である。
【図４】本実施例装置の表示形態を示す図である。
【図５】本実施例装置の表示形態を示す図である。
【図６】本実施例装置の表示形態を示す図である。
【図７】本実施例装置の表示形態を示す図である。
【図８】本実施例装置の表示形態を示す図である。
【図９】本実施例装置の表示形態を示す図である。
【図１０】本実施例装置の表示形態を示す図である。
【図１１】本実施例装置の表示形態を示す図である。
【図１２】本実施例装置の動作を示すフロー図である。
【図１３】本実施例装置の動作を示すフロー図である。
【符号の説明】
【００５６】
３０・・・・制御回路
３２・・・・ＲＡＭ
４０・・・・入力部
６０・・・・ディスプレイ
７０・・・・開閉検出部
【図１】
2009100387.tif 000003
【図２】
2009100387.tif 000004
【図３】
2009100387.tif 000005
【図４】
2009100387.tif 000006
【図５】
2009100387.tif 000007
【図６】
2009100387.tif 000008
【図７】
2009100387.tif 000009
【図８】
2009100387.tif 000010
【図９】
2009100387.tif 000011
【図１０】
2009100387.tif 000012
【図１１】
2009100387.tif 000013
【図１２】
2009100387.tif 000014
【図１３】
2009100387.tif 000015